(57)【要約】      （修正有）【課題】希望条件に近似する属性の既存の住宅におけるエネルギー消費量データを、住宅の購入予定者を含むユーザに対して提示するエネルギー情報提示システムを提供する。【解決手段】エネルギー情報提示システムが、複数の既存住宅２，３のそれぞれのエネルギー消費量を計測する計測部と、各住宅２，３が有する複数種類の属性情報が予め記憶される属性データベース７と、各住宅２，３におけるエネルギー消費量の計測データを複数種類の属性情報と関連付けて記憶させる計測値データベース８と、複数種類の属性情報の種類ごとに、各住宅２，３におけるエネルギー消費量の平均値を算出するサーバ１と、サーバ１によって算出された各住宅２，３におけるエネルギー消費量の平均値を比較して表示する表示部４ａと、を備える。【選択図】図２
2015210555.tif 000002
【特許請求の範囲】
【請求項１】
住宅の購入予定者を含むユーザに対し、複数の既存住宅におけるエネルギー消費量の平均値を提示するエネルギー情報提示システムであって、
前記複数の既存住宅のそれぞれのエネルギー消費量を計測する計測手段と、
前記複数の既存住宅のそれぞれが有する複数種類の属性情報が予め記憶される属性データ記憶手段と、
前記複数の既存住宅のそれぞれの住宅における前記エネルギー消費量の計測データを前記複数種類の属性情報と関連付けて記憶させる計測データ記憶手段と、
前記計測データ記憶手段に記憶された前記計測データに基づいて、前記複数種類の属性情報の種類ごとに、前記複数の既存住宅におけるエネルギー消費量の平均値を算出する演算手段と、
前記演算手段によって算出された前記複数の既存住宅におけるエネルギー消費量の平均値を比較して表示する表示手段と、
を備えることを特徴とするエネルギー情報提示システム。
【請求項２】
請求項１に記載のエネルギー情報提示システムにおいて、
前記表示手段には、前記複数種類の属性情報のうち前記ユーザの任意で選択された一つまたは複数の属性情報に対応するエネルギー消費量の平均値が表示されることを特徴とするエネルギー情報提示システム。
【請求項３】
請求項１または２に記載のエネルギー情報提示システムにおいて、
前記複数の既存住宅のそれぞれのエネルギー消費量は、各住宅で消費されたエネルギーの量を示す消費エネルギー量と、各住宅で創出されたエネルギーの量を示す創エネルギー量とを含んでおり、
前記表示手段は、前記消費エネルギー量の平均値と、前記創エネルギー量の平均値とが並列表示可能となっていることを特徴とするエネルギー情報提示システム。
【請求項４】
請求項１〜３のいずれか一項に記載のエネルギー情報提示システムにおいて、
前記複数種類の属性情報には、前記複数の既存住宅のそれぞれがゼロエネルギー住宅であるか否かに係る情報が含まれていることを特徴とするエネルギー情報提示システム。
【請求項５】
請求項１〜４のいずれか一項に記載のエネルギー情報提示システムにおいて、
前記複数種類の属性情報には、前記複数の既存住宅のそれぞれの建築地域に係る情報が含まれていることを特徴とするエネルギー情報提示システム。
【請求項６】
請求項１〜５のいずれか一項に記載のエネルギー情報提示システムにおいて、
気象情報を取得する気象情報取得手段を備えており、
前記計測データ記憶手段は、前記計測データと、前記気象情報取得手段によって取得した気象情報とを関連付けて記憶しており、
前記表示手段は、前記エネルギー消費量の平均値と前記気象情報とが並列表示可能となっていることを特徴とするエネルギー情報提示システム。
【発明の詳細な説明】
【技術分野】
【０００１】
本発明は、エネルギー情報提示システムに関する。
【背景技術】
【０００２】
従来、複数の住宅等の建物にそれぞれ設置された設備（電気・ガス・水道等）のエネルギー消費量を計測し、その計測値と複数の建物の属性情報とを関連付けて記憶し、そして、この記憶された計測値の中から、属性情報が同一または類似する建物の計測値を抽出して統計処理を行い、算出された統計値と計測値とを比較した結果を建物の表示手段に表示する技術が知られている（特許文献１参照）。
すなわち、このような技術においては、住宅等の建物内のエネルギーを計測し、そのデータを計測元の居住者（複数の建物それぞれの居住者）に対して提示することができ、さらにその居住者は、類似する属性のデータ（統計値）と比較し、エネルギー消費量が合理的であるか否かを判断することができる。
【先行技術文献】
【特許文献】
【０００３】
【特許文献１】特開２０１１−１１３４４８号公報
【発明の概要】
【発明が解決しようとする課題】
【０００４】
ところで、既存の住宅におけるエネルギー消費量に係るデータは、住宅の購入予定者にとって、住宅購入の判断材料となり得る。特に、例えば希望条件に近似する属性のエネルギー消費量データは、住宅購入の判断材料として有効性が極めて高いものとなる。
しかしながら、従来における技術のほとんどは、エネルギー消費量を計測した住宅の居住者向けであるか、住宅メーカー等のようなデータ管理者向けである場合が多かった。
【０００５】
本発明の課題は、希望条件に近似する属性の既存住宅におけるエネルギー消費量データを、住宅の購入予定者を含むユーザに対して提示することが可能なエネルギー情報提示システムを提供することを目的とする。
【課題を解決するための手段】
【０００６】
請求項１に記載の発明は、例えば図１〜図７に示すように、住宅の購入予定者を含むユーザ４に対し、複数の既存住宅２，３におけるエネルギー消費量の平均値を提示するエネルギー情報提示システムであって、
前記複数の既存住宅２，３のそれぞれのエネルギー消費量を計測する計測手段（例えば第一計測部２ａ、第二計測部３ａ）と、
前記複数の既存住宅２，３のそれぞれが有する複数種類の属性情報が予め記憶される属性データ記憶手段（例えば属性データベース７）と、
前記複数の既存住宅２，３のそれぞれの住宅２，３における前記エネルギー消費量の計測データを前記複数種類の属性情報と関連付けて記憶させる計測データ記憶手段（例えば計測値データベース８）と、
前記計測データ記憶手段に記憶された前記計測データに基づいて、前記複数種類の属性情報の種類ごとに、前記複数の既存住宅２，３におけるエネルギー消費量の平均値を算出する演算手段（例えば演算部５）と、
前記演算手段によって算出された前記複数の既存住宅２，３におけるエネルギー消費量の平均値を比較して表示する表示手段（例えば表示部４ａ）と、
を備えることを特徴とする。
【０００７】
請求項１に記載の発明によれば、演算手段によって、計測データ記憶手段に記憶された計測データに基づいて、複数種類の属性情報の種類ごとに、複数の既存住宅２，３におけるエネルギー消費量の平均値を算出できるので、各住宅２，３における属性情報に応じたエネルギー消費量の平均値をユーザ４に見せることができる。これによって、複数の既存住宅２，３のうちの特定の住宅の情報だけをピックアップして表示する場合とは異なり、既存の各住宅２，３に対するプライバシーの確保に貢献できる。また、表示手段によって、演算手段によって算出された複数の既存住宅２，３におけるエネルギー消費量の平均値を比較して表示できるので、既存住宅２，３における属性情報に応じたエネルギー消費量を容易に確認することができる。
これによって、ユーザ４の希望条件に近似する属性の既存住宅２，３におけるエネルギー消費量データを提示することが可能となる。ユーザ４は、希望条件に近似する属性のエネルギー消費量データを、住宅購入の有効な判断材料として確認することができる。
【０００８】
請求項２に記載の発明は、例えば図１〜図６に示すように、請求項１に記載のエネルギー情報提示システムにおいて、
前記表示手段（例えば表示部４ａ）には、前記複数種類の属性情報のうち前記ユーザ４の任意で選択された一つまたは複数の属性情報に対応するエネルギー消費量の平均値が表示されることを特徴とする。
【０００９】
請求項２に記載の発明によれば、表示手段には、複数種類の属性情報のうちユーザ４の任意で選択された一つまたは複数の属性情報に対応するエネルギー消費量の平均値が表示されるので、ユーザ４は、自身の希望条件により近似した既存ゼロエネルギー住宅２におけるエネルギー消費量データを確認することができる。
【００１０】
請求項３に記載の発明は、例えば図１〜図６に示すように、請求項１または２に記載のエネルギー情報提示システムにおいて、
前記複数の既存住宅２，３のそれぞれのエネルギー消費量は、各住宅２，３で消費されたエネルギーの量を示す消費エネルギー量と、各住宅２，３で創出されたエネルギーの量を示す創エネルギー量とを含んでおり、
前記表示手段（例えば表示部４ａ）は、前記消費エネルギー量の平均値と、前記創エネルギー量の平均値とが並列表示可能となっていることを特徴とする。
【００１１】
請求項３に記載の発明によれば、表示手段は、消費エネルギー量の平均値と、創エネルギー量の平均値とが並列表示可能となっているので、ユーザ４は、自身が住宅を購入した後のエネルギー収支の判断を容易に行うことができる。
【００１２】
請求項４に記載の発明は、例えば図１〜図３に示すように、請求項１〜３のいずれか一項に記載のエネルギー情報提示システムにおいて、
前記複数種類の属性情報には、前記複数の既存住宅２，３のそれぞれがゼロエネルギー住宅２であるか否かに係る情報が含まれていることを特徴とする。
【００１３】
請求項４に記載の発明によれば、複数種類の属性情報には、複数の既存住宅２，３のそれぞれがゼロエネルギー住宅２であるか否かに係る情報が含まれているので、ユーザ４は、ゼロエネルギー住宅２と、ゼロエネルギー住宅以外の住宅３との差を容易に確認することができる。
【００１４】
請求項５に記載の発明は、例えば図１〜図３に示すように、請求項１〜４のいずれか一項に記載のエネルギー情報提示システムにおいて、
前記複数種類の属性情報には、前記複数の既存住宅２，３のそれぞれの建築地域に係る情報が含まれていることを特徴とする。
【００１５】
請求項５に記載の発明によれば、複数種類の属性情報には、複数の既存住宅２，３のそれぞれの建築地域に係る情報が含まれているので、ユーザ４は、自身が居住を希望する地域における既存住宅２，３のエネルギー消費量データを容易に確認することができる。
【００１６】
請求項６に記載の発明は、例えば図１〜図７に示すように、請求項１〜５のいずれか一項に記載のエネルギー情報提示システムにおいて、
気象情報を取得する気象情報取得手段を備えており、
前記計測データ記憶手段（例えば計測値データベース８）は、前記計測データと、前記気象情報取得手段によって取得した気象情報とを関連付けて記憶しており、
前記表示手段（例えば表示部４ａ）は、前記エネルギー消費量の平均値と前記気象情報とが並列表示可能となっていることを特徴とする。
【００１７】
請求項６に記載の発明によれば、表示手段は、エネルギー消費量の平均値と気象情報とが並列表示可能となっているので、ユーザ４は、「今日」から過去に遡って、天候に応じた既存住宅２，３のエネルギー消費量データを容易に確認することができる。
【発明の効果】
【００１８】
本発明によれば、希望条件に近似する属性の既存住宅におけるエネルギー消費量データを、住宅の購入予定者を含むユーザに対して提示することが可能となる。
【図面の簡単な説明】
【００１９】
【図１】エネルギー情報提示システムの概略構成を示すブロック図である。
【図２】エネルギー情報提示システムの構成を模式的に示した説明図である。
【図３】属性データベースの内容を示す図である。
【図４】住宅の購入予定者が見る画面の一例を説明する図である。
【図５】消費エネルギー量に係る比較表示画面の一例を説明するための図である。
【図６】創エネルギー量に係る比較表示画面の一例を説明するための説明図である。
【図７】エネルギー消費量のデータと気象情報との並列表示画面を説明するための図である。
【発明を実施するための形態】
【００２０】
以下、図面を参照して本発明の実施の形態について説明する。
図１は、エネルギー情報提示システムの概略構成を示すブロック図である。また、図２は、エネルギー情報提示システムの構成を模式的に示した説明図である。
当該エネルギー情報提示システムは、サーバ１と、複数の既存住宅２，３と、住宅の購入予定者を含むユーザ４とが、通信網Ｗ等を介して、各住宅２，３におけるエネルギー消費量の計測データの授受を行うためのものである。また、複数の既存住宅２，３は、複数の既存ゼロエネルギー住宅２と、ゼロエネルギー住宅以外の複数の既存住宅３と、を含む。
すなわち、エネルギー情報提示システムは、住宅の購入予定者を含むユーザ４に対し、複数の既存住宅２，３におけるエネルギー消費量の平均値を提示するものである。したがって、ゼロエネルギー住宅を含む各種住宅の販売を行う住宅メーカー等が、当該エネルギー情報提示システムを構築・運営しているものとする。既存ゼロエネルギー住宅２および既存住宅３は、当該住宅メーカーによって建築された住宅である。
【００２１】
ここで、ゼロエネルギー住宅とは、住宅の躯体・設備の省エネ性能の向上、再生可能エネルギーの活用等によって、年間での一次エネルギー消費量が正味で概ねゼロとなる住宅である。また、住宅の省エネ基準に適合する断熱性能を有する。
より詳細には、次の（１）〜（３）のいずれかを満たすものを指している。
（１）「住宅事業建築主の判断基準」における計算に準じた評価方法によって、標準的な住宅の一次エネルギー消費量が概ねゼロとなるもの。
（２）標準的な住宅の一次エネルギー消費量が概ねゼロになるとみなす仕様に適合しているもの。
（３）学識者により構成される審査委員会によって、上記の（１）と同等以上の水準の省エネ性能を有する住宅として認められたもの。
【００２２】
既存ゼロエネルギー住宅２は、全国各地に既に建築されているゼロエネルギー住宅２を指しており、既存住宅３は、全国各地に既に建築されているゼロエネルギー住宅以外の住宅３を指している。
そして、複数の既存ゼロエネルギー住宅２のそれぞれには、当該既存ゼロエネルギー住宅２のエネルギー消費量を計測するための計測手段である第一計測部２ａが設置されている。また、複数の既存住宅３のそれぞれには、当該既存住宅３のエネルギー消費量を計測する計測手段である第二計測部３ａが設置されている。
また、複数の既存ゼロエネルギー住宅２および複数の既存住宅３のそれぞれのエネルギー消費量は、各住宅２，３（各家庭）で消費されたエネルギーの量を示す消費エネルギー量と、各住宅２，３（各家庭）で創出されたエネルギーの量を示す創エネルギー量とを含んでいる。なお、消費エネルギー量よりも創エネルギー量の方が数値が高ければ、エネルギー収支が良いと判断できる。
【００２３】
ユーザ４は、既存ゼロエネルギー住宅２や既存住宅３に関わらず、住宅の購入を予定または希望する人を含む。その他にも、既存の住宅のリフォームを希望する人、各住宅２，３におけるエネルギー消費量を知りたい人等を含んでもよいものとする。
また、ユーザ４は、表示手段である表示部４ａを見て、エネルギー情報提示システムによって配信される情報を確認することができる。表示部４ａは、例えばパーソナルコンピュータ、スマートフォン、タブレット端末等の各種情報端末である。
【００２４】
サーバ１は、演算部５と、通信部６と、属性データベース７と、計測値データベース８と、気象情報データベース９と、を備える。
なお、当該サーバ１は、各データベース７，８，９の他にも、エネルギー情報提示システムを機能させるために必要な各種プログラムや各種データ等を記憶する記憶手段（図示せず）を備えるものとする。また、その他にも、ＲＴＣ（Real Time Clock）等の計時機能を備えているものとする。
【００２５】
演算部５は、演算手段であり、計測値データベース８に記憶された計測データに基づいて、複数種類の属性情報の種類ごとに、複数の既存住宅２，３におけるエネルギー消費量の平均値を算出するものである。より詳細には、複数の既存住宅２，３は、上述のように複数の既存ゼロエネルギー住宅２と複数の既存住宅３とを含んでいるので、演算部５は、複数の既存ゼロエネルギー住宅２におけるエネルギー消費量の平均値と、複数の既存住宅３におけるエネルギー消費量の平均値とを算出する。
また、当該演算部５は、図示しないＣＰＵ（Central Processing Unit）やＲＡＭ（Random Access Memory）・ＲＯＭ（Read Only Memory）等から構成され、エネルギー情報提示システムの各部を制御する。
【００２６】
通信部６は、サーバ１が、通信網Ｗを介して、各住宅２，３の第一計測部２ａおよび第二計測部３ａと、ユーザ４が見る各種情報端末である表示部４ａとの間で通信を行うためのインタフェースである。当該通信部６によってなされる通信は、有線または無線のいずれの通信でもよい。
【００２７】
また、通信部６は、通信網Ｗを介して気象情報を取得する気象情報取得手段としても機能する。すなわち、演算部５が、図示しない記憶手段に記憶された気象情報取得プログラムに基づいて、通信網Ｗから気象情報を取得している。
取得する気象情報は、複数の既存ゼロエネルギー住宅２および複数の既存住宅３が建築された全ての地域の毎日の気象情報である。また、毎日の気象情報も、例えば１時間毎や３時間毎など詳細化されていることが好ましい。これは、太陽光発電システム等の再生可能エネルギーを利用した場合のエネルギー消費量と気象情報との関係が密接なためである。
そして、このように毎日の気象情報を取得して記憶するために、エネルギー情報提示システムは、気象情報データベース９を備えるものとする。
【００２８】
なお、計測値データベース８には、各住宅２，３のエネルギー消費量の計測データと、気象情報取得手段によって取得した気象情報とが関連付けて記憶されるものとする。
また、気象情報取得手段によって取得される気象情報は、属性データベース７のうち、各住宅２，３の建築地域の属性情報（後述する）に対応するものとする。
【００２９】
属性データベース７は、属性データ記憶手段であり、複数の既存住宅２，３のそれぞれが有する複数種類の属性情報が予め記憶される。
なお、属性情報とは、エネルギー消費量に影響を与えると考えられる各住宅２，３に関する複数種類の情報である。
当該複数種類の属性情報には、複数の既存住宅２，３のそれぞれの建築地域に係る情報を始めとする様々な情報が含まれる。
【００３０】
また、複数の既存住宅２，３は、図３に示すように、ゼロエネルギー住宅であるか否かで属性が分かれる。すなわち、複数の既存ゼロエネルギー住宅２は、ゼロエネルギー住宅であるという属性を有し、複数の既存住宅３は、ゼロエネルギー住宅ではないという属性を有する。
【００３１】
また、各住宅２，３の世帯数も、エネルギー消費量に影響を与える重要な属性情報となる。すなわち、住宅に居住する世帯数が多ければ多いほど消費されるエネルギーの量は多くなる。
【００３２】
また、上述の建築地域に係る属性情報は、住宅が建築される地域の気候特性が全く異なるため、エネルギー消費量に影響を与える重要な属性情報となる。図３では都道府県別に例示したが、これに限られるものではなく、より細分化された地域を属性情報として挙げてもよい。
【００３３】
また、図示はしないが、住宅そのものの機能も属性情報として含まれている。例えば木造・鉄骨造等の主構造や、断熱性能、間取り等を始めとする様々な住宅機能に関する属性情報が挙げられる。
【００３４】
また、上述の世帯数のように、住宅に居住する住人のライフスタイルも多様であり、様々な属性情報が挙げられる。例えば共働き家庭である、専業主婦のいる家庭である、高齢者の介護を必要とする家庭である、子供の人数等の属性情報がある。
【００３５】
その他にも、例えば住宅内に設置されている家電機器等の各種設備や、太陽光発電システムの発電性能等、様々な属性情報が挙げられる。
【００３６】
以上のような属性情報は、属性データベース７に予め記憶されているが、例えばライフスタイルに係る属性情報等のように、将来的に変化する可能性のあるものは適宜変更できるものとする。
ユーザ４は、このような複数種類の属性情報から絞り込んで、自身の希望条件に近似する属性のエネルギー消費量データを、住宅購入の判断材料として利用することができる。
【００３７】
計測値データベース８は、計測データ記憶手段であり、複数の既存住宅２，３のそれぞれの住宅におけるエネルギー消費量の計測データと複数種類の属性情報とが関連付けて記憶される。
また、上述のように当該計測値データベース８には、気象情報取得手段によって取得した気象情報が関連付けて記憶される。
【００３８】
計測データと属性情報との関連付け、および計測データと気象情報との関連付けは、計測データが計測された各住宅２，３が、いずれの住宅であるかを特定できる程度の関連付けでよい。
すなわち、属性データベース７に各住宅２，３の詳細な属性情報をそれぞれ記憶させておき、演算部５が属性情報と計測データを各データベース７，８のそれぞれから読み出せるように構成しておけばよい。また、上述のように建築地域に係る属性情報と気象情報とが対応するので、演算部５が、計測データの読み出しと同時に気象情報も気象情報データベース９から読み出せるように構成しておけばよい。
【００３９】
第一計測部２ａと第二計測部３ａは、各住宅２，３のエネルギー消費量を計測するためのものであり、上述のように、消費エネルギー量と創エネルギー量とを計測している。より詳細には、第一計測部２ａは複数の既存ゼロエネルギー住宅２におけるエネルギー消費量を計測し、第二計測部３ａは複数の既存住宅３におけるエネルギー消費量を計測するものである。
消費エネルギー量には、電気・ガス・水道の使用量が含まれている。また、創エネルギー量には、太陽光発電システムや家庭用燃料電池等による発電量や、地中熱利用の冷暖房システムによる採熱量を始め、様々な種類のエネルギーの創出量を含むことができる。
図示はしないが、電気の使用量および発電量は、分電盤に組み込まれた検出部によって検出・計測される。また、ガスおよび水道の使用量は、ガスメーターおよび水道メーターのそれぞれに接続されたパルスカウンターによって検出・計測される。その他の消費エネルギー量や創エネルギー量も、適宜、検出・計測されるものとする。
計測データは全て単位が統一された上で演算部５によって計算される。本実施の形態においては全ての計測データが、熱量［Ｊ（ジュール）］に換算されて演算部５によって計算されている。
【００４０】
表示手段である表示部４ａには、図４に示すように、演算部５によって算出された複数の既存ゼロエネルギー住宅２におけるエネルギー消費量の平均値と、複数の既存住宅に３おけるエネルギー消費量の平均値とが比較して表示される。
より詳細に説明すると、表示部４ａには、複数種類の属性情報のうち住宅のユーザ４の任意で選択された一つまたは複数の属性情報に対応するエネルギー消費量の平均値が表示される。したがって、ユーザ４が異なる属性情報を選択したり、ユーザ４が他者に変更されたりした場合には、図４に例示するグラフとは異なるグラフが表示される場合がある。
【００４１】
図４に例示する画面には、その左側に、既存ゼロエネルギー住宅２のみの消費エネルギー量の平均値と、創エネルギー量の平均値とを折れ線グラフで表した欄１０が表示されている。
すなわち、欄１０には、消費エネルギー量の平均値と創エネルギー量の平均値とが並列表示されている。
【００４２】
さらに、欄１０には、当該欄１０に表示されているエネルギー消費量の情報を「日別」（今日を含む）・「週別」・「月別」に表示するためのプルダウンメニュー１０ａが設けられている。そして、メニューより「日別」・「週別」・「月別」のいずれかを選択すれば、対応した情報を見ることができる。
また、欄１０には、より詳細化した情報を見るための「詳細をみる」ボタン１１ｂが設けられている。ボタン１０ｂを押せば、「日別」・「週別」・「月別」のより詳細な情報を見ることができる。
【００４３】
図４に例示する画面には、その右側に、既存ゼロエネルギー住宅２におけるエネルギー消費量の平均値と、既存住宅３におけるエネルギー消費量の平均値とを比較して表示した欄１１が表示されている。
すなわち、欄１１には、複数の既存ゼロエネルギー住宅２における消費エネルギー量の平均値と創エネルギー量の平均値とが並列表示されるとともに、複数の既存住宅３における消費エネルギー量の平均値と創エネルギー量の平均値とが並列表示されている。
【００４４】
さらに、欄１１には、より詳細化した情報を見るための「詳細をみる」ボタン１１ａが設けられている。ボタン１１ａを押せば、図５，図６に示すようなグラフを表示部４ａに表示することができる。
図５に例示する画面には、既存ゼロエネルギー住宅２の消費エネルギー量の折れ線グラフと、既存住宅３の消費エネルギー量の折れ線グラフとが比較して表示される。
図６に例示する画面には、既存ゼロエネルギー住宅２の創エネルギー量の折れ線グラフと、既存住宅３の創エネルギー量の折れ線グラフとが比較して表示される。
また、図５，図６の画面には、「消費エネルギー量」・「創エネルギー量」のグラフ切り替え用のプルダウンメニュー１２ａが設けられている。メニューより「消費エネルギー量」・「創エネルギー量」のいずれかを選択すれば、対応した情報（図５の画面または図６の画面）を見ることができる。
さらに、図５，図６の画面には、「年」を選択するためのプルダウンメニュー１２ｂと、「月」を選択するためのプルダウンメニュー１２ｃとが設けられている。メニューより「年」・「月」を適宜選択すれば、過去に遡って情報を確認することができる。
【００４５】
表示手段である表示部４ａには、図７に示すように、住宅の購入予定者を含むユーザ４の任意で選択された一つまたは複数の属性情報に対応するエネルギー消費量の平均値と気象情報とを並列表示することができる。
また、図７に例示する画面には示していないが、当該画面に表示されるエネルギー消費量の情報を、日付（今日を含む）を選択して表示するためのボタンが設けられているものとする。
すなわち、例えば「今日」ボタンがあり、ボタンを押すと今日の情報を見ることができる。「昨日」ボタンを押すと昨日の情報を見ることができ、「週間」ボタンを押すと、一週間前の情報を見ることができる。
また、日付選択のボタンと並列して、年月日を選択することができるプルダウンメニューを設けてもよいものとする。
換言すれば、図７に例示する画面に表示される情報は、「今日」から過去に遡って表示することができる。
【００４６】
図７に例示する画面には、その左側の欄１３に、全国の代表的な地域ごとのエネルギー消費量の平均値を棒グラフで表した欄１３が表示されている。
また、欄１３には、「消費エネルギー量」と「創エネルギー量」とを選択するためのボタン１３ａ，１３ｂが設けられている。
また、当該欄１３には、より詳細化した情報（例えば、各地域に含まれる都道府県別などの情報）を見るための「詳細をみる」ボタン１３ｃが設けられている。
【００４７】
図７に例示する画面には、その右側の欄１４に、全国の代表的な地域における主要都市の天気図が表示されている。
また、欄１４には、「天気」と「温湿度」とを選択するためのボタン１４ａ，１４ｂが設けられている。すなわち、「天気」ボタン１４ａを押せば、上述の日付選択のボタン等で選択された日付の天気を表示することができる。また、「温湿度」ボタン１４ｂを押せば、上述の日付選択のボタン等で選択された日付の温度および湿度を表示することができる。
【００４８】
なお、図４〜図７に示す画面は、サーバ１の管理者が運営する情報サイトの画面として構成されており、ユーザ４は、当該情報サイトにアクセスすることで表示部４ａに図４〜図７の画面を表示することができる。
また、情報サイトには、図４〜図７に示す画面の他にも、ユーザ４がアクセスして、自身の希望する条件を入力する画面も用意されているものとする。
そして、ユーザ４は、当該入力画面にアクセスして複数種類の属性情報の絞り込みを行うことができるようになっている。なお、複数種類の属性情報は、入力画面において選択方式で表示される。これによって、表示部４ａには、複数種類の属性情報のうちユーザ４の任意で選択された一つまたは複数の属性情報に対応するエネルギー消費量の平均値が表示されることになる。
【００４９】
次に、以上のような構成のエネルギー情報提示システムの利用方法について説明する。
【００５０】
まず前提として、第一計測部２ａが設置された複数の既存ゼロエネルギー住宅２と、第二計測部３ａが設置された複数の既存住宅３のそれぞれが有する複数種類の属性情報を、属性データベース７に予め記憶しておく。
同じく、気象情報取得手段によって気象情報を日々収集し、気象情報データベース９に記憶させていく。
【００５１】
さらに前提として、サーバ１の管理者は、通信網Ｗを介して、第一計測部２ａから複数の既存ゼロエネルギー住宅２におけるエネルギー消費量の計測データを日々収集する。さらに、通信網Ｗを介して、第二計測部３ａから複数の既存住宅３におけるエネルギー消費量の計測データを日々収集する。
なお、収集された各住宅２，３の計測データのそれぞれには、属性情報と気象情報とが関連付けられているものとする。
【００５２】
住宅の購入予定者を含むユーザ４は、表示部４ａとして任意の情報端末を使用し、サーバ１の管理者によって管理運営される情報サイトにアクセスする。
そして、図４〜図７に示す画面を見たり、前記入力画面で自身の希望条件を入力して、当該希望条件に近似する属性のエネルギー消費量データを見たりすることができる。
図４〜図７に示す画面を見る際は、各画面に設けられたプルダウンメニューやボタンを適宜選択して画面を切り替えるようにする。
ユーザ４が住宅の購入予定者やリフォーム希望者である場合には、エネルギー消費量に係る各種データを確認して、住宅購入の判断材料としたり、リフォームの計画を立てたりすることができる。
ユーザ４が各住宅２，３のエネルギー消費量に係るデータを知りたい人である場合には、エネルギー消費量に係る各種データを適宜確認することができる。
【００５３】
以上のような本実施の形態によれば、演算部５によって、計測値データベース８に記憶された計測データに基づいて、複数種類の属性情報の種類ごとに、複数の既存住宅２，３におけるエネルギー消費量の平均値を算出できるので、各住宅２，３における属性情報に応じたエネルギー消費量の平均値をユーザ４に見せることができる。これによって、複数の既存住宅２，３のうちの特定の住宅の情報だけをピックアップして表示する場合とは異なり、既存の各住宅２，３に対するプライバシーの確保に貢献できる。また、表示部４ａによって、演算部５によって算出された複数の既存住宅２，３におけるエネルギー消費量の平均値を比較して表示できるので、既存住宅２，３における属性情報に応じたエネルギー消費量を容易に確認することができる。
これによって、ユーザ４の希望条件に近似する属性の既存住宅２，３におけるエネルギー消費量データを提示することが可能となる。ユーザ４は、希望条件に近似する属性のエネルギー消費量データを、住宅購入の有効な判断材料として確認することができる。
【００５４】
また、表示部４ａには、複数種類の属性情報のうちユーザ４の任意で選択された一つまたは複数の属性情報に対応するエネルギー消費量の平均値が表示されるので、ユーザ４は、自身の希望条件により合致した既存ゼロエネルギー住宅２におけるエネルギー消費量データを確認することができる。
【００５５】
また、表示部４ａは、消費エネルギー量の平均値と、創エネルギー量の平均値とが並列表示可能となっているので、ユーザ４は、自身が住宅を購入した後のエネルギー収支の判断を容易に行うことができる。
【００５６】
また、複数種類の属性情報には、複数の既存住宅２，３のそれぞれがゼロエネルギー住宅２であるか否かに係る情報が含まれているので、ユーザ４は、ゼロエネルギー住宅２と、ゼロエネルギー住宅以外の住宅３との差を容易に確認することができる。
【００５７】
また、複数種類の属性情報には、複数の既存住宅２，３のそれぞれの建築地域に係る情報が含まれているので、ユーザ４は、自身が居住を希望する地域における既存住宅２，３のエネルギー消費量データを容易に確認することができる。
【００５８】
また、表示部４ａは、エネルギー消費量の平均値と気象情報とが並列表示可能となっているので、ユーザ４は、「今日」から過去に遡って、天候に応じた既存住宅２，３のエネルギー消費量データを容易に確認することができる。
したがって、ユーザ４が、「今日」から過去に遡って、天候に応じた既存住宅２，３のエネルギー消費量データを容易に確認したいという要望に対して好適に対応できる。
【符号の説明】
【００５９】
１  サーバ
２  既存ゼロエネルギー住宅
３  既存住宅
４  購入予定者
５  演算部
６  通信部
７  属性データベース
８  計測値データベース
９  気象情報データベース
１０  欄
１０ａ  プルダウンメニュー
１０ｂ  ボタン
１１  欄
１１ａ  ボタン
１２ａ  プルダウンメニュー
１２ｂ  プルダウンメニュー
１２ｃ  プルダウンメニュー
１３  欄
１３ａ  ボタン
１３ｂ  ボタン
１４  欄
１４ａ  ボタン
１４ｂ  ボタン
Ｗ  通信網
【図１】
2015210555.tif 000003
【図２】
2015210555.tif 000004
【図３】
2015210555.tif 000005
【図４】
2015210555.tif 000006
【図５】
2015210555.tif 000007
【図６】
2015210555.tif 000008
【図７】
2015210555.tif 000009